(57)【要約】【課題】電子機器において、調整処理を行うことができ、しかも製造コストを抑制できるようにする。【解決手段】ＴＶ受像機１と調整装置３とは、２本の伝送ライン２ａ、２ｂから構成された専用ケーブル２を介して接続される。専用ケーブル２はＨＤＭＩ接続端子１６に接続される。ＴＶ受像機１のメインマイコン１０は、調整モードで動作すると、ＨＤＰライン４１及び伝送ライン２ａを介して、調整装置３に信号を送信し、調整装置３から伝送ライン２ｂ及び＋５Ｖライン４２を介して信号を受信する。すなわち、ＨＤＰ端子１６ａが、信号を送信するための出力端子として機能し、＋５Ｖ端子が信号を受信するための入力端子として機能する。これにより、メインマイコン１０は、調整装置３から送信された製品情報や、各種の調整値を受信してメモリ１８に格納したり、メモリ１８に格納されている各種の値を調整装置３に送信したりする調整処理を行うことができる。【選択図】図３
2012222801.tif 000002
【特許請求の範囲】
【請求項１】
所定の通信制御プロトコルに基づく伝送ラインに接続される接続端子と、
前記接続端子に接続された外部機器に対して信号の送受信を行う通信手段と、
装置各部の調整を行うための動作モードである調整モードを有し、装置各部を制御する制御手段とを備える電子機器において、
前記制御手段は、前記接続端子に外部機器が接続されているときに前記調整モードで動作すると、前記通信手段を用いて、前記伝送ラインを該外部機器に信号を送信するための信号送信ライン、又は該外部機器から送信された信号を受信するための信号受信ラインとして用いることを特徴とする電子機器。
【請求項２】
前記通信制御プロトコルは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）であることを特徴とする請求項１に記載の電子機器。
【請求項３】
装置に所定のレベル電圧を入力するための電圧入力ラインに接続される電圧入力端子をさらに備え、
前記接続端子は、ＨＰＤ（Ｈｏｔ  Ｐｌｕｇ  Ｄｅｔｅｃｔ）ラインに接続される接続端子であり、
前記電圧入力ラインと前記ＨＰＤラインのうち、一方を前記信号送信ラインとし、他方を前記信号受信ラインとして用いることを特徴とする請求項２に記載の電子機器。
【発明の詳細な説明】
【技術分野】
【０００１】
本発明は、外部機器と接続するための接続端子を備える電子機器に関する。
【背景技術】
【０００２】
従来から、家電製品の工場出荷時においては、この家電製品に製品情報を記録したり、各種設定値を調整したりする処理（以下、調整処理という）を行うことが多い。家電製品には、この調整処理を行うためのＵＡＲＴ端子が予め設けられており、このＵＡＲＴ端子と、調整処理を行うための調整装置とを伝送ケーブルで接続することにより調整処理を行っている。
【０００３】
ところで、上記家電製品のＵＡＲＴ端子は、調整処理を行うための専用端子であり、家電製品の工場出荷後に、ユーザがＵＡＲＴ端子を利用することはない。しかしながら、調整処理を行うためには家電製品にＵＡＲＴ端子を設ける必要があるため、家電製品の製造コストを抑制できないという問題が生じている。
【０００４】
これに対して、特許文献１には、調整用データを含むＩＮＦＯフレームを外部から受信し、映像信号入力端子を介してＨＤＭＩレシーバのレジスタに書き込み、マイコンがレジスタ内の調整用データを読み取ることにより調整制御を行うＨＤＴＶが開示されている。しかしながら、このＨＤＴＶでは、このＨＤＴＶの製品情報等の出力ができないため、情報を出力するためにＵＡＲＴ端子を設ける必要がある。従って、上記問題を解決できない。
【０００５】
また、特許文献２には、ＧＰＩＯ端子を介してライトプロテクト端子にローレベルの電圧信号を出力してＥＤＩＤＲＯＭをＥＤＩＤ書換許可状態にし、ＨＤＭＩコネクタのＤＤＣ端子を介して入力されるＥＤＩＤデータによりＥＤＩＤＲＯＭのＥＤＩＤを書き換えるＥＤＩＤ書換回路が開示されている。しかしながら、このＥＤＩＤ書換回路であっても、製品情報等の出力ができないため、上記問題を解決できない。
【先行技術文献】
【特許文献】
【０００６】
【特許文献１】実用新案登録第３１１２３９２号公報
【特許文献２】特開２００８−１０９２１９号公報
【発明の概要】
【発明が解決しようとする課題】
【０００７】
本発明は、上述した問題点を解決するためになされたものであり、工場出荷時において、調整処理を行うことができると共に、製造コストを抑制できる電子機器を提供することを目的とする。
【課題を解決するための手段】
【０００８】
上記目的を達成するために請求項１の発明は、所定の通信制御プロトコルに基づく伝送ラインに接続される接続端子と、前記接続端子に接続された外部機器に対して信号の送受信を行う通信手段と、装置各部の調整を行うための動作モードである調整モードを有し、装置各部を制御する制御手段とを備える電子機器において、前記制御手段は、前記接続端子に外部機器が接続されているときに前記調整モードで動作すると、前記通信手段を用いて、前記伝送ラインを該外部機器に信号を送信するための信号送信ライン、又は該外部機器から送信された信号を受信するための信号受信ラインとして用いるものである。
【０００９】
また、請求項２の発明は、請求項１に記載の電子機器において、前記通信制御プロトコルは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）である。
【００１０】
また、請求項３の発明は、請求項２に記載の電子機器において、装置に所定のレベル電圧を入力するための電圧入力ラインに接続される電圧入力端子をさらに備え、前記接続端子は、ＨＰＤ（Ｈｏｔ  Ｐｌｕｇ  Ｄｅｔｅｃｔ）ラインに接続される接続端子であり、前記電圧入力ラインと前記ＨＰＤラインのうち、一方を前記信号送信ラインとし、他方を前記信号受信ラインとして用いるものである。
【発明の効果】
【００１１】
本発明によれば、接続端子に外部機器が接続されているときに調整モードで動作すると、所定の通信制御プロトコルに基づく伝送ラインを、外部機器に信号を送信するための信号送信ライン、又は外部機器から送信された信号を受信するための信号受信ラインとして用いる。そのため、電子機器は、従来のようにＵＡＲＴ端子を設けることなく、外部機器を用いて調整処理を行うことができるので、製造コストを抑制できる。
【図面の簡単な説明】
【００１２】
【図１】本発明の一実施形態に係るＴＶ受像機の内部構成を示すブロック図。
【図２】上記ＴＶ受像機のＨＤＭＩ接続端子のピン配列を示す図。
【図３】上記ＴＶ受像機と、調整装置との接続構成を示す説明図。
【図４】上記ＴＶ受像機における調整処理の手順を示すフローチャート。
【発明を実施するための形態】
【００１３】
以下、本発明の一実施形態に係るテレビジョン（以下、ＴＶという）受像機（請求項における電子機器）について、図１及び図２を参照して説明する。図１は、調整装置３と接続されたＴＶ受像機１の概略構成を示す。図２は、ＴＶ受像機１のＨＤＭＩ接続端子１６のピン配列を示す。
【００１４】
調整装置３は、ＴＶ受像機１の工場出荷時において、ＴＶ受像機１に対して、製品情報の記録や、各種設定値の調整等の一連の処理（以下、調整処理という）を行うものである。調整装置３は、専用ケーブル２の一端が接続された接続端子３１と、調整制御部３２と、作業者によって操作される操作部３３とを備える。ＴＶ受像機１と、調整装置３とは、専用ケーブル２を介して接続されている。
【００１５】
ＴＶ受像機１は、アンテナ１１に接続され、デジタル放送信号を受信するチューナ部１２と、映像を表示するディスプレイ１３と、音声を出力するスピーカ１４と、ユーザによって操作されるボタンを有する操作部１５と、ＨＤＭＩ接続端子（接続端子）１６と、ＨＤＭＩレシーバ１７と、各種情報を記憶したメモリ１８と、装置各部を制御するためのメインマイコン（通信手段、制御手段）１０とを備える。ＴＶ受像機１は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）に対応した機器である。
【００１６】
チューナ部１２は、デコーダ部（図示せず）を有し、アンテナ１１を介して、放送局から配信される各チャンネルのデジタル放送信号を受信して、このデジタル放送信号に対して復調処理等を行い、映像信号及び音声信号をメインマイコン１０に出力する。
【００１７】
ディスプレイ１３は、チューナ部１２によって受信されたＴＶ番組の映像や、ＨＤＭＩ接続端子１６に入力された映像ストリームに基づく映像を表示する。スピーカ１４は、チューナ部１２によって受信されたＴＶ番組の音声や、ＨＤＭＩ接続端子１６に入力された映像ストリームに基づく音声を出力する。
【００１８】
ＨＤＭＩ接続端子１６は、ＨＤＭＩケーブルを接続可能な端子である。ここでは、ＨＤＭＩ接続端子１６には、調整装置３に接続された専用ケーブル２の他端が接続されている。ＨＤＭＩ接続端子１６は、図２に示すように、ＨＤＭＩの規格に基づく１９ピン（接続端子）のコネクタが設けられており、１９ピンのそれぞれは伝送ラインに接続されている。
【００１９】
ＨＤＭＩ接続端子１６の１９ピンに接続された伝送ラインには、映像信号及び音声信号等を伝送するＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）ラインや、ＣＥＣコマンドを双方向に伝送するためのＣＥＣラインや、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）のデータを伝送するためのＤＤＣ（Ｄｉｓｐｌａｙ  Ｄａｔａ  Ｃｈａｎｎｎｅｌ）ラインや、ＨＰＤ（Ｈｏｔ  Ｐｌｕｇ  Ｄｅｔｅｃｔ）ライン４１（図３参照）や、ＴＶ受像機１に所定のレベル電圧（ここでは＋５Ｖ）を入力するための＋５Ｖライン（電圧入力ライン）４２（図３参照）がある。
【００２０】
ＨＤＭＩレシーバ１７は、ＨＤＭＩケーブルによる外部機器との接続時に、ＨＤＭＩ接続端子１６のＴＭＤＳラインに入力された映像ストリームを受信して、デコードした映像信号及び音声信号をメインマイコン１０に出力する。メモリ１８は、メインマイコン１０を動作させるためのプログラムや、ＴＶ受像機１の製品情報や、ディスプレイ１３の輝度等の各種設定値を格納している。
【００２１】
メインマイコン１０は、操作部１５の操作に基づいてＴＶ受像機１の制御処理を行う。メインマイコン１０の動作モードには、通常動作モードの他に、装置各部の調整処理を行うための調整モードがあり、操作部１５の操作や、調整装置３から送信されたコマンドを受信することにより、各動作モードを変更できる。メインマイコン１０は、調整モードで動作しているとき、ＨＤＭＩ接続端子１６に接続された専用ケーブル２を介して、調整装置３と信号の送受信を行う。
【００２２】
次に、ＴＶ受像機１と調整装置３との接続構成について、図３を参照して説明する。図３は、ＴＶ受像機１と調整装置３との接続構成を示す図である。
【００２３】
専用ケーブル２は、２本の伝送ライン２ａ、２ｂから構成される。伝送ライン２ａは、その一端が調整装置３の接続端子３１ａに接続され、他端がＨＤＭＩ接続端子１６のＨＤＰ端子１６ａに接続される。伝送ライン２ｂは、その一端が調整装置３の接続端子３１ｂに接続され、他端がＨＤＭＩ接続端子１６の＋５Ｖ端子１６ｂに接続される。
【００２４】
ＨＤＰ端子１６ａに接続されているＨＤＰライン（伝送ライン）４１は、ＴＶ受像機１の内部でメインマイコン１０のＧＰＩＯ１０ａに接続されている。＋５Ｖ端子１６ｂに接続されている＋５Ｖライン（伝送ライン）４２は、メインマイコン１０のＧＰＩＯ１０ｂ、１０ｃに接続されている。
【００２５】
メインマイコン１０は、調整モードで動作すると、ＨＤＰライン４１及び伝送ライン２ａ（信号送信ライン）を介して、調整装置３に信号を送信し、調整装置３から伝送ライン２ｂ及び＋５Ｖライン４２（信号受信ライン）を介して信号を受信する。すなわち、ＨＤＰ端子１６ａが、信号を調整装置３に送信するための出力端子として機能し、＋５Ｖ端子が調整装置３から信号を受信するための入力端子として機能する。これにより、メインマイコン１０は、調整装置３から送信された製品情報や、各種の調整値を受信してメモリ１８に格納したり、メモリ１８に格納されている各種の値を調整装置３に送信したりする調整処理を行うことができる。なお、＋５Ｖライン４２においては、メインマイコン１０のＧＰＩＯ１０ｃの電圧をＨ（ハイ）にして専用ケーブル２の接続を認識させた後に、調整装置３から送信された信号の受信を行う。すなわち、調整装置３から送信される信号は、メインマイコン１０のＧＰＩＯ１０ｂで受信する。
【００２６】
次に、ＴＶ受像機１における調整処理の手順について、図４に示すフローチャートを参照して説明する。
【００２７】
まず、ＴＶ受像機１と調整装置３とを専用ケーブル２で接続した後（Ｓ１）、ＴＶ受像機１のメインマイコン１０の動作モードを調整モードに変更する（Ｓ２）。具体的には例えば、作業員が、操作部１５を操作することにより調整モードに切り替えてもよいし、動作モードを調整モードに変更する旨の命令信号を、調整装置３からＴＶ受像機１に送信してもよい。
【００２８】
そして、作業員が調整装置３を用いて、ＴＶ受像機１の調整処理を行い（Ｓ３）、調整処理が終了したら、ＴＶ受像機１のメインマイコンの動作モードを通常動作モードに変更する（Ｓ４）。
【００２９】
上述したように、本実施形態に係るＴＶ受像機１においては、ＨＤＭＩ接続端子１６に専用ケーブル２を介して調整装置３が接続されているときに調整モードで動作すると、ＨＤＰライン４１を信号送信ラインとし、＋５Ｖライン４２を信号受信ラインとして通信を行うことができる。そのため、ＴＶ受像機１は、従来のようにＵＡＲＴ端子を設けることなしに、調整装置３を用いて調整処理を行うことができるので、製造コストを抑制できる。
【００３０】
なお、本発明は、上記実施形態の構成に限られず、発明の趣旨を変更しない範囲で種々の変形が可能である。例えば、上記実施形態において、請求項に示す電子機器がＴＶ受像機である例を示したが、これに限られず、ＨＤＭＩ接続端子を備え、ＨＤＭＩ接続端子に接続された伝送ラインを用いて調整装置と信号の送受信を行うことができる電子機器であればよい。
【００３１】
また、上記実施形態においては、ＨＤＰラインと＋５Ｖラインとを用いて、通信を行う例を示したが、これに限られず、ＨＤＭＩのＴＭＤＳライン等の他の伝送ラインを用いてもよい。
【符号の説明】
【００３２】
１  ＴＶ受像機（電子機器）
１０  メインマイコン（通信手段、制御手段）
１６  ＨＤＭＩ接続端子（接続端子）
３１  ＨＰＤライン（信号送信ライン）
３２  ＋５Ｖライン（電圧入力ライン、信号受信ライン）
【図１】
2012222801.tif 000003
【図２】
2012222801.tif 000004
【図３】
2012222801.tif 000005
【図４】
2012222801.tif 000006